(57)【要約】【課題】搬送、搬入及び据付を容易に行うことができる除塵機を提供すること。【解決手段】水路１０内の塵芥を捕捉して水路外に排出する除塵機において、バースクリーン１７、水中部フレーム１１ａ、水上部ベース１６及び水上部フレーム１１ｂを一体構造とし、かつ、レーキ１９、チェーン２２、２６及びスプロケット２３、２５を組み込んだ状態で、搬送、搬入及び据付が可能なように本体が一体化されてなるようにする。【選択図】図１
2018080493.tif 000002
【特許請求の範囲】
【請求項１】
水路内の塵芥を捕捉して水路外に排出する除塵機において、バースクリーン、水中部フレーム、水上部ベース及び水上部フレームを一体構造とし、かつ、レーキ、チェーン及びスプロケットを組み込んだ状態で、搬送、搬入及び据付が可能なように本体が一体化されてなることを特徴とする除塵機。
【請求項２】
水上部ベースを水路のスラブの水面より上方に配設した固定手段を介して固定することによって、除塵機の設置を行うようにしたことを特徴とする請求項１に記載の除塵機。
【請求項３】
除塵機の側面フレームを、楔板及び押しボルトを用いて水路の壁に対して固定するようにしたことを特徴とする請求項１又は２に記載の除塵機。
【請求項４】
水上部後面カバー内にコンテナを内蔵させたこと特徴とする請求項１、２又は３に記載の除塵機。
【請求項５】
除塵機のフレームに、吊具を設けたこと特徴とする請求項１、２、３又は４に記載の除塵機。
【発明の詳細な説明】
【技術分野】
【０００１】
本発明は、水路を流れる流水中の塵芥をバースクリーンで捕捉し、当該バースクリーンで捕捉した塵芥をレーキによって自動的に水路外に排出する除塵機に関するものである。
【背景技術】
【０００２】
従来、下水処理場、ポンプ場、揚排水機場等に設置される除塵機は、一般に水路内に配設したバースクリーンにより水路を流れる塵芥を捕捉し、捕捉した塵芥をスクリーン前面に沿って上昇するレーキにより掻き揚げ、レーキの上昇端付近の下方に設けたシュート内に落下させて水路内から除去するように構成されている（例えば、特許文献１〜２参照。）。
そして、このような除塵機におけるレーキの駆動方式として、ダブルチェーン式除塵機やピンラック式の除塵機が広く知られている。
【０００３】
ところで、一般に本形式の除塵機においては、バースクリーン、水中部フレーム、水上部ベース及び水上部フレーム等の本体部材並びにレーキ、チェーン及びスプロケット等の付属部材の各ユニットを、土木構造物に基礎ボルトを施工した上で、現地で組み立てる方式で施工されている。
【０００４】
このため、現地での施工に手数を要し、特に、規模の小さい中継ポンプ場等においては、水路数が少ないため、水路を止水しない状況において、除塵機を施工する必要がある場合があり、施工期間が長くかかるという問題があった。
【先行技術文献】
【特許文献】
【０００５】
【特許文献１】特許第３７６８５１８号公報
【特許文献２】特開２００９−１０２８８８号公報
【発明の概要】
【発明が解決しようとする課題】
【０００６】
本発明は、上記従来の除塵機の有する問題点に鑑み、バースクリーン、水中部フレーム、水上部ベース及び水上部フレーム等の本体部材並びにレーキ、チェーン及びスプロケット等の付属部材の各ユニットを組み込んだ状態で搬送、搬入及び据付が可能な一体型の除塵機を提供することを目的とする。
【課題を解決するための手段】
【０００７】
上記目的を達成するため、本発明の除塵機は、水路内の塵芥を捕捉して水路外に排出する除塵機において、バースクリーン、水中部フレーム、水上部ベース及び水上部フレームを一体構造とし、かつ、レーキ、チェーン及びスプロケットを組み込んだ状態で、搬送、搬入及び据付が可能なように本体が一体化されてなることを特徴とする。
【０００８】
この場合において、水上部ベースを水路のスラブの水面より上方に配設した固定手段を介して固定することによって、除塵機の設置を行うようにすることができる。
【０００９】
また、除塵機の側面フレームを、楔板及び押しボルトを用いて水路の壁に対して固定するようにすることができる。
【００１０】
また、水上部後面カバー内にコンテナを内蔵させることができる。
【００１１】
また、除塵機のフレームに、吊具を設けることができる。
【発明の効果】
【００１２】
本発明の除塵機によれば、水路内の塵芥を捕捉して水路外に排出する除塵機において、バースクリーン、水中部フレーム、水上部ベース及び水上部フレームを一体構造とし、かつ、レーキ、チェーン及びスプロケットを組み込んだ状態で、搬送、搬入及び据付が可能なように本体が一体化されてなることから、バースクリーン及び水中部フレームの部分を水路の所定位置に嵌め込むことで設置することができ、現地での施工に手数を要さず、簡易に設置することができる。
【００１３】
また、水上部ベースを水路のスラブの水面より上方に配設した固定手段を介して固定することによって、水路内での基礎施工、例えば、水中でのアンカーボルト施工を行う必要がないので、短時間で簡単に除塵機を設置することができる。
【００１４】
また、除塵機の側面フレームを、楔板及び押しボルトを用いて水路の壁に対して固定するようにすることにより、除塵機を水路の壁に対して、簡易かつ確実に固定することができる。
【００１５】
また、水上部後面カバー内にコンテナを内蔵させることにより、悪臭や騒音の発生を抑えることができる。
【００１６】
また、除塵機のフレームに、吊具を設けることにより、一体構造の除塵機の据付時に、容易に吊り上げ搬入が可能にすることができる。
【図面の簡単な説明】
【００１７】
【図１】本発明の除塵機の一実施例を示す説明図で、（ａ）は正面から見た外観斜視図、（ｂ）は背面から見た外観斜視図である。
【図２】同除塵機の設置状況を示す断面図である。
【図３】同除塵機の設置状況を示す正面図である。
【図４】同除塵機のレーキ及びワイパーを省略したフレームの断面図である。
【図５】同除塵機の楔板及び押しボルトを用いた取付構造を示す平面断面図である。
【図６】同除塵機の楔板及び押しボルトを用いた取付構造を示し、（ａ）は要部の平面断面図、（ｂ）は同正面図、（ｃ）は同側面図、（ｄ）は楔板の横断面図、（ｅ）は同正面図である。
【発明を実施するための形態】
【００１８】
以下、本発明の除塵機の実施の形態を、図面に基づいて説明する。
【００１９】
図１〜図３に、本発明の除塵機の一実施例を示す。
この除塵機は、水路１０の壁１０ａの両側に対し中央に配置され、水路１０の上方に立ち上げたフレーム１１、水上部前面カバー１２、水上部後面カバー１３及び上部力バー１４と、水路１０内の水中部フレーム１１ａの下端部に設けられた底板１５を一体化して構成されている。
水中部には前面カバーは設けず、また、後面はスクリーンユニット１７となっており、前面から後面に向かって水が流れるように構成されている。
【００２０】
具体的には、水中部のバースクリーン及び水中部フレーム１１ａをパネルボルト締結構造によるスクリーンと支持部材及びフレームとの一体化を採用し、また、水中部と水上部とを上下分割構造として、ボルト締結構造により一体化を図った。
なお、例えば、搬入寸法の制約により、水中部と水上部を分割して、施工することもできる。
【００２１】
また、一体化した本体内部にはフレーム１１に付属したガイドレール１８を設けており、レーキ１９は本体チェーン２６に接続され、ガイドレール１８に沿って、レーキ１９が周回するような構造としている。
【００２２】
また、このレーキ１９は、チェーン駆動式を採用し、電動機２１により適宜な減速機、駆動チェーン２２及び駆動スプロケット２３を介して駆動軸２４を回転させることで、本体スプロケット２５及び本体チェーン２６を駆動させ、レーキ１９を所定の軌跡で周回させている。
【００２３】
また、水上部ベース１６は水平に部材が設けられており、水路１０のスラブ上面に適宜の固定手段、例えば、アンカーボルト等で固定できるように形成されている。
【００２４】
また、水上部後面カバー１３は、搬送設備やレーキ１９で掻き揚げた塵芥を収容するコンテナ等との取り合いが形成されるが、とりわけコンテナとの取り合いとなる場合には、水上部後面カバー内にコンテナを設置したコンテナ内蔵一体型水上部後面カバーを構成することができる。
【００２５】
そして、一体化した本体により構成された除塵機は、コンクリート等で形成される水路１０の水路幅及び深さに合わせて各部の寸法が設定され、各部材は水中及び多湿環境での使用となるため、耐食性及び耐摩耗性に優れた材質、例えば、ステンレス鋼、合成樹脂等を使用して形成され、特に、ステンレス鋼については、耐食性を考慮し、必要に応じて、塗装又は樹脂コーティング等を実施することで更に腐食に対して耐久性を向上させている。
【００２６】
また、水路１０への除塵機の設置は、一体化された本体を水路内に一体化された状態で組み込みを行い、所定の位置に設置された後、アンカーボルト等を水路上部のスラブ面に水上部ベースの取り合い穴に合わせて固定するため、現場での組立作業がほとんどないことにより、従来に比べて大幅に除塵機の施工期間を短縮することができる。
【００２７】
また、現場での設置作業を容易に行うために除塵機の上下端部の幅方向の両側に吊具２８を設けるようにする。
具体的には、吊具２８は、水上部のカバーの４隅と、水中部フレーム１１ａの前面に掛け渡した補助桟の両端部に設けるようにする。
これにより、一体構造の除塵機の据付時に、容易に吊り上げ搬入が可能にすることができる。
【００２８】
また、水路１０への除塵機の設置は、水上部ベースをアンカーボルトで固定し、水中部にはアンカーボルトを用いることなく、場合により楔板３０及び押しボルト３１を使用した施工としているため、水中部基礎施工期間を実質的になくすことができる。
【００２９】
具体的には、図５−図６に示すように、除塵機の側面フレーム、具体的には、水中部フレーム１１ａに、好ましくは、水中部フレーム１１ａのスクリーンユニット１７のバースクリーン１７ａを保持する支持部材１７ｂを取り付けた位置にブラケット２９を取り付け、このブラケット２９を取り付けた位置の水中部フレーム１１ａと水路１０の壁１０ａとの間に楔板３０を打ち込み、ブラケット２９に配設した押しボルト３１によって楔板３０を固定するようにする。
ここで、楔板３０及び押しボルト３１を用いた固定位置は、水面上での施工が可能なように、水路１０の通常の水位よりも上方に設定することが好ましい。
この場合、楔板３０には、押しボルト３１が螺入されるねじ穴を形成するとともに、ブラケット２９の押しボルト３１の固定孔２９ａは、押しボルト３１の位置調節が可能なように長孔に形成するようにする。
これにより、施工性を大幅に改善することができる。
【００３０】
また、水路１０に設置された除塵機は、バースクリーンによって水路１０を流れる塵芥を捕捉し、連続的又は間欠的にレーキ１９を作動させることにより、バースクリーンに捕捉した塵芥をレーキ１９で掻き揚げ、エプロン２０に沿って上方の排出口から排出する。
なお、レーキ１９はワイパー２７により掻き揚げられた塵芥を効率よく排出させる構造としており、確実に塵芥は排出されることとなる。
【００３１】
また、レーキ１９がワイパー２７を介して塵芥を排出する際に、特に、ワイパー２７の動作完了時に動作音が発生するが、緩衝装置を設けるとともに、周囲がカバー等によって覆われていることにより、外部への動作音の漏れを抑えることができる。
さらに、カバーで覆われていることから運転状況の確認が困難な場合も考えられるため、カメラの設置による監視も行える構造としている。
【００３２】
以上、本発明の除塵機について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の除塵機は、搬送、搬入及び据付を容易に行うことができることにより、現地据付期間の大幅な短縮を実現でき、耐食性も兼ね備えているため、下水処理及び上水処理の除塵設備の用途に好適に用いることができるほか、例えば、河川用の除塵設備、農業用水路の除塵設備、産業・食品関連の除塵設備の用途にも用いることができる。
【符号の説明】
【００３４】
１０  水路
１０ａ  壁
１１  フレーム
１１ａ  水中部フレーム
１１ｂ  水上部フレーム
１２  水上部前面カバー
１３  水上部後面カバー
１４  上部カバー
１５  底板
１６  水上部ベース
１７  スクリーンユニット（バースクリーン）
１７ａ  バースクリーン
１７ｂ  支持部材
１８  ガイドレール
１９  レーキ
２０  エプロン
２１  電動機
２２  駆動チェーン（チェーン）
２３  駆動スプロケット（スプロケット）
２４  駆動軸
２５  本体スプロケット（スプロケット）
２６  本体チェーン（チェーン）
２７  ワイパー
２８  吊具
２９  ブラケット
３０  楔板
３１  押しボルト
【図１】
2018080493.tif 000003
【図２】
2018080493.tif 000004
【図３】
2018080493.tif 000005
【図４】
2018080493.tif 000006
【図５】
2018080493.tif 000007
【図６】
2018080493.tif 000008